(57)【要約】【課題】携帯端末内の全てのサービスについて統括的に決済の優先順位を決定することができる携帯端末を提供する。【解決手段】セキュアエレメント（以下、ＳＥ）をリムーバブルメディア、携帯端末内部のいずれか、又は双方に備え、ＳＥの合計数が２以上となる携帯端末１０であって、携帯端末１０に接続されているリムーバブルメディアを検索するカード検索手段１４ａと、複数のＳＥ内のサービス全てを統括した優先順位を記憶する優先順位記憶手段１４ｂと、記憶された優先順位から、検索されなかったリムーバブルメディアに存在するサービスを除外して、除外されなかったサービスの優先順位を昇順に並び替えた順位を最適化優先順位として生成する最適化優先順位生成手段１４ｃとを備えるＢＢ部１４と、、生成された最適化優先順位を記憶する最適化優先順位記憶手段１２ａを備えるＲＦ部１２とを備える。【選択図】図６
2013069238.tif 000002
【特許請求の範囲】
【請求項１】
セキュアエレメント（以下、ＳＥと表記する）をリムーバブルメディア、携帯端末内部のいずれか又は双方に備え、ＳＥの合計数が２以上となる携帯端末であって、
前記携帯端末に接続されているリムーバブルメディアを検索するカード検索手段と、
前記複数のＳＥ内のサービス全てを統括した優先順位を記憶する優先順位記憶手段と、
前記記憶された優先順位から、前記検索されなかったリムーバブルメディアに存在するサービスを除外して、前記除外されなかったサービスの優先順位を昇順に並び替えた順位を最適化優先順位として生成する最適化優先順位生成手段と、
を備えるＢＢ部と、
前記生成された最適化優先順位を記憶する最適化優先順位記憶手段を備えるＲＦ部と、
を備えることを特徴とする携帯端末。
【請求項２】
請求項１に記載の携帯端末であって、
前記ＲＦ部が
リーダライタからの電磁波を検知してカード検索信号を出力する読取検知手段をさらに備え、
前記カード検索手段は、前記カード検索信号を取得した場合に前記携帯端末に接続されているリムーバブルメディアを検索すること
を特徴とする携帯端末。
【請求項３】
請求項２に記載の携帯端末であって、
前記ＢＢ部が、ユーザ入力に基づいて前記複数のＳＥ内のサービス全てを統括した優先順位を設定し、
前記優先順位記憶手段は、当該設定された優先順位を記憶すること
を特徴とする携帯端末。
【請求項４】
請求項３に記載の携帯端末であって、
前記ＢＢ部が、
前記ユーザ入力がカード検索指令である場合にカード検索信号を出力し、前記ユーザ入力が優先順位設定指令である場合に優先順位設定信号を出力する制御手段と、
前記検索されたリムーバブルメディア、および携帯端末内部のＳＥのサービスを検索するサービス検索手段と、
前記検索されたサービスのリストをサービスリストとして記憶するサービスリスト記憶手段と、
前記記憶されたサービスリストを表示画面に表示する表示手段と、
前記優先順位設定信号を取得した場合に、前記記憶されたサービスリストのサービスを前記優先順位設定信号に基づいて並び替え、当該並び替えた順位を優先順位として設定する並び替え手段とをさらに備え、
前記サービスリスト記憶手段は、検索され記憶されたサービスが再度の検索時に検索されなかった場合には、当該検索されなかったサービスをサービスリストに保持すること
を特徴とする携帯端末。
【請求項５】
セキュアエレメント（以下、ＳＥと表記する）をリムーバブルメディア、携帯端末内部のいずれか又は双方に備え、ＳＥの合計数が２以上となる携帯端末を用いる最適化優先順位生成方法であって、
前記携帯端末に接続されているリムーバブルメディアを検索するカード検索サブステップと、
前記複数のＳＥ内のサービス全てを統括した優先順位を記憶する優先順位記憶サブステップと、
前記記憶された優先順位から、前記検索されなかったリムーバブルメディアに存在するサービスを除外して、前記除外されなかったサービスの優先順位を昇順に並び替えた順位を最適化優先順位として生成する最適化優先順位生成サブステップと
を備えるＢＢステップと、
前記生成された最適化優先順位を記憶する最適化優先順位記憶サブステップを備えるＲＦステップと、
を有することを特徴とする最適化優先順位生成方法。
【請求項６】
請求項５に記載の最適化優先順位生成方法であって、
前記ＲＦステップが
リーダライタからの電磁波を検知してカード検索信号を出力する読み取り検知サブステップをさらに有し、
前記カード検索サブステップは、前記カード検索信号を取得した場合に前記携帯端末に接続されているリムーバブルメディアを検索すること
を特徴とする最適化優先順位生成方法。
【請求項７】
請求項６に記載の最適化優先順位生成方法であって、
前記ＢＢステップが、ユーザ入力に基づいて前記複数のＳＥ内のサービス全てを統括した優先順位を設定し、
前記優先順位記憶サブステップは、当該設定された優先順位を記憶すること
を特徴とする最適化優先順位生成方法。
【請求項８】
請求項７に記載の最適化優先順位生成方法であって、
前記ＢＢステップが、
前記ユーザ入力がカード検索指令である場合にカード検索信号を出力し、前記ユーザ入力が優先順位設定指令である場合に優先順位設定信号を出力する制御サブステップと、
前記検索されたリムーバブルメディア、および携帯端末内部のＳＥのサービスを検索するサービス検索サブステップと、
前記検索されたサービスのリストをサービスリストとして記憶するサービスリスト記憶サブステップと、
前記記憶されたサービスリストを表示画面に表示する表示サブステップと、
前記優先順位設定信号を取得した場合に、前記記憶されたサービスリストのサービスを前記優先順位設定信号に基づいて並び替え、当該並び替えた順位を優先順位として設定する並び替えサブステップとをさらに有し、
前記サービスリスト記憶サブステップは、検索され記憶されたサービスが再度の検索時に検索されなかった場合には、当該検索されなかったサービスをサービスリストに保持すること
を特徴とする最適化優先順位生成方法。
【請求項９】
請求項５から８の何れかに記載の最適化優先順位生成方法を実行すべき指令を携帯端末に対してするプログラム。
【発明の詳細な説明】
【技術分野】
【０００１】
本発明は携帯端末内のセキュアエレメントに存在するサービス（電子マネーアプリ）を用いて決済を行う場合の優先順位を生成する携帯端末、最適化優先順位生成方法、プログラムに関する。
【背景技術】
【０００２】
近年、携帯端末に内蔵するＩＣチップに複数の電子マネー事業者の電子マネーアプリを組み込むことにより、１台の携帯端末で複数種類の電子マネーが利用できるようになっている。携帯端末のＩＣチップに複数の電子マネーアプリを組み込んだ場合、例えば、ユーザは次のようにして電子マネーを使用する。まず、ユーザは店舗の会計エリアに設置された電子マネー端末のリーダライタに携帯端末を近接させる。次に、電子マネー端末は、店舗の会計担当者の操作により、リーダライタを介してＩＣチップにアクセスし、ＩＣチップに組み込まれた電子マネーアプリをサーチする。ＩＣチップに組み込まれたアプリケーションには、アプリケーションを識別するためのサービスコードが設定されており、電子マネー端末は、サービスサーチと呼ばれる処理にてサービスコードを読み取って、ＩＣチップに組み込まれている電子マネーアプリを認識する。そして、電子マネー端末は、ＩＣチップに単数の電子マネーアプリが組み込まれている場合には、これを用いて決済し、複数の電子マネーアプリが組み込まれている場合には、これらを表示装置に表示して、次のように何れを用いるかの指示を受け付ける。即ち、会計担当者がユーザに「Ａ社とＢ社の電子マネーがご利用可能です。どちらを使いますか」などと問い合わせ、ユーザが「Ａ社を使います」などと返答すると、会計担当者は、電子マネー端末を操作して、Ａ社の電子マネーアプリを用いてＡ社の電子マネーで決済する。この場合、従来の電子マネー端末では、ユーザは何れの電子マネーアプリを選択して決済に用いるか判断に迷うという問題があった。
【０００３】
これに対し、特許文献１の決済装置（電子マネー端末）は、携帯端末やＩＣカードに配設されたＩＣチップに組み込まれた電子マネーアプリをサーチして、個々の電子マネーアプリを把握した後、これらの電子マネーアプリで決済処理を行う優先順位を設定し、当該優先順位の順に決済金額の合計が支払金額となるように、ＩＣチップに組み込まれた電子マネーアプリに順次アクセスして決済処理をしていく。なお、ユーザが優先順位を予め設定してＩＣチップに記憶している場合には、決済装置はユーザ設定済みの優先順位を読み取って、当該優先順位の順に電子マネーアプリに順次アクセスして決済処理を行う。
【先行技術文献】
【特許文献】
【０００４】
【特許文献１】特開２００９−１７６０６５号公報
【発明の概要】
【発明が解決しようとする課題】
【０００５】
従来、電子マネーの残額などは携帯端末内のＩＣチップに記録されており、ユーザが携帯端末の機種変更を行う場合には、旧携帯端末内のＩＣチップに記憶された電子マネーサービスを新たな携帯端末内のＩＣチップに移管する必要があった。この場合、ユーザは携帯販売店での操作や、小売店や鉄道会社などとの個別の手続きを通じて電子マネーサービスの移管を行わなければならなかった。これに対し、一部の通信事業者は、携帯端末の機種変更の際、電子マネーの残額などのデータも新しい携帯端末に移し替えやすくするために、ＳＩＭカードにデータを記録する方式も取り入れることにした。これにより、ユーザはＳＩＭカードを差し替えるだけで電子マネーの移管ができるため、機種変更がより手軽になる。記録方式の変更は、電子マネーの次世代規格であるＮＦＣ（Ｎｅａｒ  Ｆｉｅｌｄ  Ｃｏｍｍｕｎｉｃａｔｉｏｎ、近距離通信技術）への切替えに合わせて行われる予定である。ＮＦＣとは、非接触型ＩＣチップを携帯端末やリーダライタに組み込む技術である。非接触ＩＣカードの国際標準規格であるＴｙｐｅＡ、Ｂをはじめ、ＦｅｌｉＣａや一部のＩＣタグに対応している。
【０００６】
このような情勢を受けて、ＮＦＣ対応の携帯端末では、セキュアエレメント（Ｓｅｃｕｒｅ  Ｅｌｅｍｅｎｔ、ＩＣチップのセキュリティを含めたコア部分、暗号化機能・鍵管理機能などを持つセキュアな領域、以下ＳＥと表記）が携帯端末内蔵チップに組み込まれる場合（内部ＳＥ）、ＳＩＭカード・ＵＩＭカードに組み込まれる場合、外部カードメモリに組み込まれる場合など、様々な場合が想定される。従って、携帯端末によっては内部ＳＥを備えると同時にＳＩＭカード内にもＳＥを備える場合など、一台の携帯端末内に複数のＳＥが混在するケースが考えられる。
【０００７】
この場合、特許文献１の決済装置では、携帯端末内のあらかじめ定めた一つのＳＥ（例えば内部ＳＥ）にアクセスし、そのＳＥについて設定されている優先順位の順に、電子マネーアプリにアクセスして、決済処理を行うため、アクセスされなかったＳＥ（例えばＳＩＭカード内のＳＥ）の電子マネーアプリは使用されることがない。これにより、ユーザは予め定めた一つのＳＥに存在する電子マネーアプリしか利用することができず、ユーザの利便性が損なわれることが問題であった。そこで、本発明では、携帯端末内の全てのサービス（電子マネーアプリ）について統括的に決済の優先順位を決定することができる携帯端末を提供することを目的とする。
【課題を解決するための手段】
【０００８】
本発明の携帯端末は、ＳＥをリムーバブルメディア、携帯端末内部のいずれか又は双方に備え、ＳＥの合計数が２以上となる携帯端末であって、ＢＢ部と、ＲＦ部とを備える。ＢＢ部は、カード検索手段と優先順位記憶手段と最適化優先順位生成手段とを備える。ＲＦ部は最適化優先順位記憶手段を備える。
【０００９】
カード検索手段は、携帯端末に接続されているリムーバブルメディアを検索する。優先順位記憶手段は、複数のＳＥ内のサービス全てを統括した優先順位を記憶する。最適化優先順位生成手段は、記憶された優先順位から、検索されなかったリムーバブルメディアに存在するサービスを除外して、除外されなかったサービスの優先順位を昇順に並び替えた順位を最適化優先順位として生成する。最適化優先順位記憶手段は、生成された最適化優先順位を記憶する。
【発明の効果】
【００１０】
本発明の携帯端末によれば、携帯端末内の全てのサービス（電子マネーアプリ）について統括的に決済の優先順位を決定することができる。
【図面の簡単な説明】
【００１１】
【図１】携帯端末内部、ＵＩＭカード、カードメモリにＳＥを備える携帯端末について例示する図。
【図２】全ての実施例の携帯端末が備える優先順位記憶手段が記憶する優先順位を例示する図。
【図３】全ての実施例の携帯端末が備える最適化優先順位生成手段が生成する最適化優先順位を例示する図。
【図４】実施例３、４の携帯端末が備える表示手段が表示するサービス検索画面を例示する図。
【図５】実施例３、４の携帯端末が備える表示手段が表示する優先順位設定画面を例示する図。
【図６】実施例１の携帯端末の構成を示すブロック図。
【図７】実施例１の携帯端末の動作を示すフローチャート。
【図８】変形例１の携帯端末の構成を示すブロック図。
【図９】変形例１の携帯端末の動作を示すフローチャート。
【図１０】実施例２の携帯端末の構成を示すブロック図。
【図１１】実施例２の携帯端末の動作を示すフローチャート。
【図１２】実施例３の携帯端末の構成を示すブロック図。
【図１３】実施例３の携帯端末の動作を示すフローチャート。
【図１４】実施例４の携帯端末の構成を示すブロック図。
【図１５】実施例４の携帯端末の動作を示すフローチャート。
【発明を実施するための形態】
【００１２】
以下、本発明の実施の形態について、詳細に説明する。なお、同じ機能を有する構成部には同じ番号を付し、重複説明を省略する。
【００１３】
［用語の説明］
＜内部ＳＥ＞
本明細書では、セキュアエレメントが携帯端末の内蔵チップに組み込まれている場合、このＳＥを内部ＳＥと呼称することとし、後述するリムーバブルメディア内のＳＥと区別する。
【００１４】
＜リムーバブルメディア＞
リムーバブルメディアとは、一般的には記録媒体であって本体装置から容易に取り外すことのできるもののことをいうが、本明細書では、携帯端末に着脱可能な記憶領域を有するメディア全般（ＳＩＭカード・ＵＩＭカード、カードメモリなど）を呼称することとする。
【００１５】
＜サービス＞
本明細書では、電子マネーに関するアプリケーション全般をサービスとも呼称する。
［用語の説明終わり］
【００１６】
＜本発明の対象となる複数のＳＥを備える携帯端末の例＞
次に、ユーザがＳＥ機能付きのリムーバブルメディアを複数所持し、かつ内部ＳＥを備える携帯端末を所持している場合の、各ＳＥが備えるサービスについて図１を参照して具体的に説明する。図１は携帯端末内部、ＵＩＭカード、カードメモリにＳＥを備える携帯端末について例示する図である。ユーザ所有の携帯端末を本明細書の何れかの実施例で詳述する携帯端末１０、１０’、２０、３０、４０の何れかであるものとし、ユーザはこの携帯端末１０、１０’、２０、３０、４０に着脱可能なＳＥ機能付きリムーバブルメディアとして、ＵＩＭカード２、カードメモリ３、カードメモリ４、カードメモリ５を所持しているものとする。携帯端末１０、１０’、２０、３０、４０は内部ＳＥ１１を備えており、図１に示す例では、内部ＳＥ１１には図１に示す４つのサービス（アプリケーション識別子：ＡＡ…ＡＡＡ、ＢＢ…ＢＢＢ、ＣＣ…ＣＣＣ、ＤＤ…ＤＤＤ）を備える。このうち、アプリケーション識別子：ＡＡ…ＡＡＡ、ＢＢ…ＢＢＢ、ＣＣ…ＣＣＣについては内部ＳＥ１１における優先順位が付与されているが、アプリケーション識別子：ＤＤ…ＤＤＤを付与されたサービスについては優先順位設定の管理対象外のサービスであるものとし、後述する優先順位の対象とならない。ＵＩＭカード２には図１に示す２つのサービス（アプリケーション識別子：ＥＥ…ＥＥＥ、ＦＦ…ＦＦＦ）を備え、どちらも優先順位が付与されている。カードメモリ３には図１に示す２つのサービス（アプリケーション識別子：ＧＧ…ＧＧＧ、ＨＨ…ＨＨＨ）を備える。このうち、アプリケーション識別子：ＧＧ…ＧＧＧについては優先順位が付与されているが、アプリケーション識別子：ＨＨ…ＨＨＨを付与されたサービスについては優先順位設定の管理対象外のサービスであるものとし、後述する優先順位の対象とならない。カードメモリ４には図１に示す１つのサービス（アプリケーション識別子：ＩＩ…ＩＩＩ）と優先順位を備える。カードメモリ５には図１に示す１つのサービス（アプリケーション識別子：ＪＪ…ＪＪＪ）と優先順位を備える。内部ＳＥ１１は携帯端末１０、１０’、２０、３０、４０から取り外されることはないものとする。ＵＩＭカード２はほとんどの場合常に携帯端末１０、１０’、２０、３０、４０に装着されている。一方、カードメモリ用のカードスロットは携帯端末１０、１０’、２０、３０、４０に一つのみ配設されているものとし、ユーザはカードメモリ３、４、５のうちいずれか一つのカードメモリのみを選択して携帯端末１０、１０’、２０、３０、４０に装着するものとする。
【００１７】
＜優先順位記憶手段１４ｂ＞
次に、図２を参照して、本明細書の全ての実施例の携帯端末１０、１０’、２０、３０、４０が備える優先順位記憶手段１４ｂにて記憶される優先順位について、図１の例に基づいて具体的に説明する。図２は全ての実施例の携帯端末が備える優先順位記憶手段１４ｂが記憶する優先順位を例示する図である。優先順位記憶手段１４ｂには、ユーザが所持する携帯端末の内部ＳＥ内のサービスと、ＳＥ機能付きのリムーバブルメディア内のサービスを全て統括的に管理する優先順位が記憶されている。優先順位記憶手段１４ｂの優先順位と、各ＳＥにおけるサービスの優先順位には整合性を持たせてもよい。なお、各ＳＥにおける優先順位はサービスをインストールする際などに付与される場合がある。優先順位記憶手段１４ｂに記憶される優先順位は例えば図２で例示するようにサービス名、ＡＩＤ（アプリケーション識別子）、格納場所、優先順位からなるリストとして表現できる。優先順位記憶手段１４ｂに記憶される優先順位は、ユーザが現在装着しているリムーバブルメディアと、現在装着はしていないが所持しているリムーバブルメディアと、内部ＳＥとを全て優先順位の対象としていることが特徴である。図２の例では、ＡＩＤ：ＧＧ…ＧＧＧ（カード３）を優先順位１位とし、以下ＡＩＤ：ＢＢ…ＢＢＢ（内部ＳＥ１１）を優先順位２位、ＡＩＤ：ＪＪ…ＪＪＪ（カード５）を優先順位３位、などとしている。また、優先順位設定の管理対象外のサービスであるＡＩＤ：ＤＤ…ＤＤＤ、ＡＩＤ：ＨＨ…ＨＨＨについては優先順位を設定されていない。図２に示すような優先順位は、後述するＢＢ部３４、４４等によってユーザが自発的に設定することとしてもよいし、携帯端末１０、１０’、２０、３０、４０が自動的に設定することとしてもよい。
【００１８】
＜最適化優先順位生成手段１４ｃ、最適化優先順位記憶手段１２ａ＞
次に、図３を参照して、本明細書の全ての実施例の携帯端末１０、１０’、２０、３０、４０が備える最適化優先順位生成手段１４ｃ、最適化優先順位記憶手段１２ａの動作について、図１の例に基づいて具体的に説明する。図３は全ての実施例の携帯端末が備える最適化優先順位生成手段１４ｃが生成する最適化優先順位を例示する図である。
【００１９】
最適化優先順位生成手段１４ｃは携帯端末１０、１０’、２０、３０、４０のＢＢ部１４（１４’、２４、３４，４４）に、最適化優先順位記憶手段１２ａは携帯端末１０、１０’、２０、３０、４０のＲＦ部１２（２２）内に存在している。最適化優先順位生成手段１４ｃは、優先順位記憶手段１４ｂに記憶済みの内部ＳＥ１１、ＵＩＭカード２、カードメモリ３、４、５内の全てのサービスを統括した優先順位（１位〜８位）のうち、携帯端末に接続されているリムーバブルメディア、および内部ＳＥに存在するサービスの優先順位を抜き出す（携帯端末に接続されていないリムーバブルメディアに存在するサービスを除外する、と表現することもできる）。ここでは、携帯端末１０、１０’、２０、３０、４０にはＵＩＭカード２と、カードメモリ５が接続されているものとする。従って、ＵＩＭカード２内に存在するサービス（ＡＩＤ：ＥＥ…ＥＥＥ、ＦＦ…ＦＦＦ）、カードメモリ５内に存在するサービス（ＡＩＤ：ＪＪ…ＪＪＪ）、内部ＳＥ１１内に存在するサービス（ＡＩＤ：ＡＡ…ＡＡＡ、ＢＢ…ＢＢＢ、ＣＣ…ＣＣＣ）が抜き出される。従って、優先順位２位、３位、４位、６位、７位、８位のサービスが抜き出されることになる。そして、最適化優先順位生成手段１４ｃは、これらの抜き出されたサービスを昇順に並べ直して、新たに最適化優先順位として１位から順番に順位を振り直す（ＳＳ１４ｃ）。このようにして生成した最適化優先順位は同じくＲＦ部１２に存在する最適化優先順位記憶手段１２ａに記憶される（ＳＳ１２ａ）。このように、最適化優先順位生成手段１４ｃが最適化優先順位を生成し、ＲＦ部１２（２２）内の最適化優先順位記憶手段１２ａに記憶しておくことにより、リーダライタが記憶された最適化優先順位を読み出して、リーダライタが対応しているサービス且つ優先順位の高いものにて（から順に）決済を行うことができる。
【００２０】
＜ＢＢ部３４、４４＞
次に、本発明の実施例３、４の携帯端末３０、４０が備えるＢＢ部３４、４４の動作について、図１の例に基づいて具体的に説明する。本発明の実施例３、４の携帯端末３０、４０が備えるＢＢ部３４、４４は、ユーザが優先順位の設定を手動で行うために必要な構成を備える。ＢＢ部３４、４４は、制御手段３４ａと、サービス検索手段３４ｂと、サービスリスト記憶手段３４ｃと、表示手段３４ｄと、並び替え手段３４ｅとを備える。以下、ＢＢ部３４、４４の具体的な動作の一つである「サービス検索モード」について図４を参照して説明する。図４は実施例３、４の携帯端末３０、４０が備える表示手段３４ｄが表示するサービス検索画面を例示する図である。例えば、「サービス検索モード」は以下のように実行される。制御手段３４ａは、携帯端末３０、４０のサービスリスト記憶手段３４ｃがサービスリストを未だ記憶していない場合に限り、表示手段３４ｄを制御して携帯端末３０、４０の表示画面に、「端末内部、リムーバブルメディア内のサービスを検索しますか？（はい／いいえ）」を表示する。ユーザが携帯端末３０、４０のタッチパネルを押下して表示「はい」該当箇所をクリックした場合、携帯端末３０、４０はサービス検索モードに移行する。制御手段３４ａはユーザのタッチパネル入力「はい（カード検索指令）」を受けて、後述するカード検索手段１４ａ’（２４ａ）にカード検索信号を出力する（ＳＳ３４ａ−２Ｎ、ＳＳ３４ａ−１Ｙ）。カード検索手段１４ａ’（２４ａ）は、制御手段３４ａからカード検索信号を取得した場合に（ＳＳ３４ａ−２Ｎ、ＳＳ３４ａ−１Ｙ）、携帯端末３０、４０に接続されているリムーバブルメディアを検索する（ＳＳ１４ａ’（ＳＳ２４ａ））。図４の例は、携帯端末３０、４０にＵＩＭカード２を常時接続しておき、携帯端末３０、４０のカードスロットにカードメモリ３、４、５をこの順番に差し替えて、それぞれのサービスを検索する場面を想定している。図４は、図の状態の直前に接続されていたカードメモリ４がユーザによってカードメモリ５に差し替えられた瞬間を表示している。この場合にユーザ入力（カード検索指令）が出されると、制御手段３４ａからカード検索信号が出力され、カード検索信号を取得したカード検索手段１４ａ’（２４ａ）はカードメモリ５（ＩＤ：５５５）を新たに検索する。例えば図４のように、カード検索手段１４ａ’（２４ａ）の新たな検索結果であるカードメモリ５（ＩＤ：５５５）について、表示手段３４ｄが「１件の新しいリムーバブルメディア（ＩＤ：５５５）が検索されました」を表示することとしてもよい。次に、サービス検索手段３４ｂは、検索されたリムーバブルメディア、および携帯端末内部のＳＥのサービスを検索する（ＳＳ３４ｂ）。図４の例の場合、新たに挿入されたカードメモリ５内のサービスである★★★（ＡＩＤ：ＪＪ…ＪＪＪ）が新たに検索される。このとき表示手段３４ｄは、サービス検索手段３４ｂの検索結果である★★★について「１件の新しいサービス（ＡＩＤ：ＪＪ…ＪＪＪ）が検索されました」を表示することとしてもよい。次に、サービスリスト記憶手段３４ｃは、検索されたサービスのリストをサービスリストとして記憶する（ＳＳ３４ｃ）。ここで、図４は直前に接続されていたカードメモリ４がユーザによってカードメモリ５に差し替えられた瞬間を表示している。従って、カードメモリ４内のサービスとして既に検索され記憶されたサービス（◆◆◆、ＡＩＤ：ＩＩ…ＩＩＩ）は、カードメモリ４をカードメモリ５へ差し替え後の再度のサービス検索時には検索されないこととなる。この場合であっても、サービスリスト記憶手段３４ｃは、既に検索され記憶されたサービスであって再度の検索時に検索されなかったサービス（◆◆◆など）をサービスリストに保持しておくものとする。このようにして、サービスリスト記憶手段３４ｃには、過去に携帯端末３０、４０に接続されたカード内のサービスであってサービス検索手段３４ｂにより検索されたサービスが順次蓄積されることとなる。次に、表示手段３４ｄは、記憶されたサービスリストのうち、優先順位設定可能なサービスのリストを表示画面に表示する（ＳＳ３４ｄ）。図４の例では、ＵＩＭカード２を常時接続しておき、カードスロットにカードメモリ３、４、５をこの順番に差し替えて、それぞれのサービスを検索して、検索されたサービスを順次サービスリスト記憶手段３４ｃに蓄積記憶する場面を想定しており、カードメモリ５挿入後のサービス検索後においては、表示手段３４ｄが表示するサービスリストは、内部ＳＥ１１（ＩＤ：１１１）、ＵＩＭカード２（ＩＤ：２２２）、カードメモリ３（ＩＤ：３３３）、カードメモリ４（ＩＤ：４４４）、カードメモリ５（ＩＤ：５５５）内の優先順位設定可能なサービスが全てリストとして表示されていることとなる（図４では、携帯端末３０、４０の表示画面上部に表示）。図４に示すように、最も直近に検索されたサービス（カードメモリ５内の★★★）については太枠でユーザに分かりやすく表示することとしてもよい。ユーザが他にもサービス検索処理が済んでいないリムーバブルメディアを保有している場合には、ユーザは当該未検索のリムーバブルメディアを携帯端末３０、４０に接続した後、表示手段３４ｄが表示した「別のメディアを検索」アイコンの該当部分のタッチパネルをクリックすればよい。この場合、ユーザがこのアイコンをクリック（カード検索指令）するたびに、制御手段３４ａがカード検索手段１４ａ’（２４ａ）にカード検索信号を出力する（ＳＳ３４ａ−２Ｎ、ＳＳ３４ａ−１Ｙ）。ユーザは自己が保有するリムーバブルメディア内のサービス全ての検索処理を携帯端末３０、４０に実行させた場合には、表示画面に表示された「優先順位を設定」アイコンの該当部分のタッチパネルをクリックして、携帯端末３０、４０を後述する「優先順位設定モード」に移行させる。
【００２１】
以下、ＢＢ部３４、４４の具体的な動作の一つである「優先順位設定モード」について図５を参照して説明する。図５は実施例３、４の携帯端末３０、４０が備える表示手段３４ｄが表示する優先順位設定画面について例示する図である。例えば、「優先順位設定モード」は以下のように実行される。まず携帯端末３０、４０の表示画面には、前述したサービスリストのうち、優先順位の設定ができるもののみを「検索されたサービス」欄に表示する。図５の例では「検索されたサービス」欄は携帯端末３０、４０の表示画面上部に表示されている。図５の例では、表示手段３４ｄは「検索されたサービス」欄の下に「優先順位で並び替え」欄を表示するものとし、ユーザは、例えば「検索されたサービス」欄内の各サービスを「優先順位で並び替え」欄の所望の順位を示す位置にドラック・アンド・ドロップ操作することにより優先順位を設定することができる。優先順位の設定を完了した場合、ユーザは例えば携帯端末３０、４０の表示画面下部に表示した「設定終了」アイコンをクリックすることなどで「優先順位設定モード」を終了させる。ユーザの「設定終了」アイコンの押下は、優先順位設定指令として、制御手段３４ａに入力される。制御手段３４ａは、優先順位設定指令を取得した場合に、並び替え手段３４ｅに対して、優先順位設定信号を出力する（ＳＳ３４ａ−１Ｎ、ＳＳ３４ａ−２Ｙ）。優先順位設定信号の内容は、ユーザが並び替えたサービスの順序を通知する内容であるものとする。並び替え手段３４ｅは、制御手段３４ａから優先順位設定信号を取得した場合に、サービスリスト記憶手段３４ｃに記憶されたサービスリストのサービスを優先順位設定信号に基づいて並び替え、当該並び替えた順位を優先順位として設定する（ＳＳ３４ｅ）。ここで、並び替え手段３４ｅは、優先順位の設定と同時に各ＳＥにて保持している各ＳＥごとの優先順位についても昇順に設定しなおすこととしてもよい。優先順位記憶手段１４ｂは、並び替え手段３４ｅが設定した優先順位を記憶する（ＳＳ１４ｂ）。このように、ＢＢ部３４の表示手段３４ｄがユーザ手動の優先順位設定に必要な項目を携帯端末３０、４０の表示画面に表示し、ユーザ手動により設定された優先順位を優先順位記憶手段１４ｂが記憶しておくため、ユーザ所望の優先順位を容易に設定することができる。
【実施例１】
【００２２】
上述を前提として、実施例１に係る携帯端末について図６、７を参照して説明する。図６は本実施例の携帯端末１０の構成を示すブロック図である。図７は本実施例の携帯端末１０の動作を示すフローチャートである。本実施例の携帯端末１０は、内部ＳＥ１１と、ＲＦ部１２と、ＢＢ部１４と、アンテナ１６とを備え、カードメモリ、ＵＩＭカードなどのリムーバブルメディアと接続されている。図６では、分かりやすさのためカードメモリ４、ＵＩＭカード２と接続しているものとして表示しているが、これは本実施例の携帯端末１０と接続することができるリムーバブルメディアを限定する意味ではない（後述する全ての実施例、変形例において同様である）。ＢＢ部１４は、カード検索手段１４ａと、優先順位記憶手段１４ｂと、最適化優先順位生成手段１４ｃとを備える。ＲＦ部１２は最適化優先順位記憶手段１２ａを備える。なお、ＵＩＭカード２はその内部に優先順位管理手段２−１、優先順位記憶手段２−２を備えている。同様に、カードメモリ４（３、５）は優先順位管理手段４−１（３−１、５−１）、優先順位記憶手段４−２（３−２、５−２）を備えている。
【００２３】
カード検索手段１４ａは、携帯端末１０の電源投入（Ｓ１０）をトリガとして、携帯端末１０に接続されているリムーバブルメディアを検索する（ＳＳ１４ａ）。優先順位記憶手段１４ｂは、複数のＳＥ内のサービス全てを統括した優先順位を予め記憶している。最適化優先順位生成手段１４ｃは、記憶された優先順位から、検索されなかったリムーバブルメディアに存在するサービスを除外して、除外されなかったサービスの優先順位を昇順に並び替えた順位を最適化優先順位として生成する（ＳＳ１４ｃ）。最適化優先順位記憶手段１２ａは、生成された最適化優先順位を記憶する（ＳＳ１２ａ）。
【００２４】
［変形例１］
実施例１では、カード検索手段１４ａは、携帯端末１０の電源投入（Ｓ１０）をトリガとして、携帯端末１０に接続されているリムーバブルメディアを検索することとしたが、カード検索手段１４ａの動作開始条件はこれに限定されるものでなく、例えば一定時刻経過ごとにカード検索手段１４ａが動作することとしてもよい。そこで、カード検索手段１４ａの動作開始条件を管理するタイマ１７を備える変形例１の携帯端末１０’について、図８、図９を参照して説明する。図８は本変形例の携帯端末１０’の構成を示すブロック図である。図９は本変形例の携帯端末１０’の動作を示すフローチャートである。本変形例の携帯端末１０’と実施例１の携帯端末１０との違いは、実施例１の携帯端末１０におけるＢＢ部１４のカード検索手段１４ａが本変形例の携帯端末１０’においてＢＢ部１４’のカード検索手段１４ａ’に変更されている点、本変形例の携帯端末１０’が備えるタイマ１７を実施例１の携帯端末１０において備えていない点である。従って、本変形例の携帯端末１０’において実施例１の携帯端末１０と同一の番号を付した構成部は同一の機能を備えるため、説明を割愛する。
【００２５】
本変形例の携帯端末１０’が備えるタイマ１７は、カード検索手段１４ａ’の動作開始条件を管理している。具体的には、タイマ１７は、予め定めた所定の時刻が経過するごとに、カード検索手段１４ａ’に対してカード検索信号を出力する（Ｓ１７）。カード検索手段１４ａ’は、タイマ１７からカード検索信号を取得した場合に携帯端末１０’に接続されているリムーバブルメディアを検索する（ＳＳ１４ａ’）。以降の処理は実施例１の携帯端末１０と同様である。
【００２６】
このように、実施例１の携帯端末１０、変形例１の携帯端末１０’によれば、優先順位記憶手段１４ｂが複数のＳＥ内のサービス全てを統括した優先順位を予め記憶しているため、携帯端末１０（１０’）内の全てのサービス（電子マネーアプリ）について統括的に決済の優先順位を決定することができる。また、最適化優先順位生成手段１４ｃが、記憶された優先順位から検索されなかったリムーバブルメディアに存在するサービスを除外して最適化優先順位を生成するため、接続されていないリムーバブルメディア内のサービスにリーダライタがアクセスしようとする誤動作を防ぐことができる。
【実施例２】
【００２７】
次に、カード検索手段１４ａのリムーバブルメディア検索タイミングを適切に制御することを目的とした実施例２の携帯端末について図１０、１１を参照して説明する。図１０は本実施例の携帯端末２０の構成を示すブロック図である。図１１は本実施例の携帯端末２０の動作を示すフローチャートである。本実施例の携帯端末２０は、内部ＳＥ１１と、ＲＦ部２２と、ＢＢ部２４と、アンテナ１６とを備え、カードメモリ、ＵＩＭカードなどのリムーバブルメディアと接続されている。ＢＢ部２４は、カード検索手段２４ａと、優先順位記憶手段１４ｂと、最適化優先順位生成手段１４ｃとを備える。ＲＦ部２２は、最適化優先順位記憶手段１２ａと、読取検知手段２２ｂとを備える。本実施例の携帯端末２０と実施例１の携帯端末１０との違いは、実施例１の携帯端末１０におけるＲＦ部１２が本実施例の携帯端末２０においてＲＦ部２２に変更されている点、実施例１の携帯端末１０におけるカード検索手段１４ａが本実施例の携帯端末２０においてカード検索手段２４ａに変更されている点、本実施例の携帯端末２０が備えるＲＦ部２２が備える読取検知手段２２ｂを実施例１の携帯端末１０において対応するＲＦ部１２が備えていない点である。従って、本実施例の携帯端末２０において実施例１の携帯端末１０と同一の番号を付した構成部は同一の機能を備えるため、説明を割愛する。
【００２８】
読取検知手段２２ｂは、リーダライタからの電磁波を検知してカード検索信号を出力する（ＳＳ２２ｂ）カード検索手段２４ａは、カード検索信号を取得した場合に携帯端末２０に接続されているリムーバブルメディアを検索する（ＳＳ２４ａ）。以降の処理は実施例１の携帯端末１０と同様である。
【００２９】
このように、本実施例の携帯端末２０によれば、実施例１の携帯端末１０の効果に加え、読取検知手段２２ｂがリーダライタからの電磁波を検知してカード検索信号を出力するため、カード検索手段２４ａのリムーバブルメディア検索タイミングを決済処理の直前とすることができるため、電源投入後に、リムーバブルメディアが入れ替わった場合にも、都度最適な優先順位に基づいて決済処理を実行することができる。
【実施例３】
【００３０】
次に、変形例１の携帯端末１０’をベースとして、ユーザ入力に基づいてＳＥ内のサービス全てを統括した優先順位を設定することを目的とした実施例３の携帯端末について図１２、１３を参照して説明する。図１２は本実施例の携帯端末３０の構成を示すブロック図である。図１３は本実施例の携帯端末３０の動作を示すフローチャートである。本実施例の携帯端末３０は、内部ＳＥ１１と、ＲＦ部１２と、ＢＢ部３４と、アンテナ１６と、タイマ１７とを備え、カードメモリ、ＵＩＭカードなどのリムーバブルメディアと接続されている。ＢＢ部３４は、カード検索手段１４ａ’と、優先順位記憶手段１４ｂと、最適化優先順位生成手段１４ｃと、制御手段３４ａと、サービス検索手段３４ｂと、サービスリスト記憶手段３４ｃと、表示手段３４ｄと、並び替え手段３４ｅとを備える。ＲＦ部１２は最適化優先順位記憶手段１２ａを備える。本実施例の携帯端末３０と変形例１の携帯端末１０’との違いは、本実施例の携帯端末３０が備えるＢＢ部３４の制御手段３４ａと、サービス検索手段３４ｂと、サービスリスト記憶手段３４ｃと、表示手段３４ｄと、並び替え手段３４ｅとを変形例１の携帯端末１０’のＢＢ部１４’が備えていない点である。従って、本実施例の携帯端末３０において変形例１の携帯端末１０’と同一の番号を付した構成部は同一の機能を備えるため、説明を割愛する。
【００３１】
以下、携帯端末３０における優先順位の設定について説明する。制御手段３４ａはユーザ入力を受け付ける。制御手段３４ａは、ユーザ入力がカード検索指令である場合にカード検索信号を出力し（ＳＳ３４ａ−２Ｎ、ＳＳ３４ａ−１Ｙ）、ユーザ入力が優先順位設定指令である場合に優先順位設定信号を出力する（ＳＳ３４ａ−１Ｎ、ＳＳ３４ａ−２Ｙ）。カード検索手段１４ａ’は、制御手段３４ａからカード検索信号を取得した場合に（ＳＳ３４ａ−２Ｎ、ＳＳ３４ａ−１Ｙ）、携帯端末３０に接続されているリムーバブルメディアを検索する（ＳＳ１４ａ’）。サービス検索手段３４ｂは、検索されたリムーバブルメディア、および携帯端末内部のＳＥのサービスを検索する（ＳＳ３４ｂ）。サービスリスト記憶手段３４ｃは、検索されたサービスのリストをサービスリストとして記憶する（ＳＳ３４ｃ）。ここで、サービスリスト記憶手段３４ｃは、検索され記憶されたサービスが再度の検索時に検索されなかった場合には、当該検索されなかったサービスをサービスリストに保持するものとする。次に、表示手段３４ｄは、記憶されたサービスリストを表示画面に表示する（ＳＳ３４ｄ）。並び替え手段３４ｅは、制御手段３４ａから優先順位設定信号を取得した場合に（ＳＳ３４ａ−１Ｎ、ＳＳ３４ａ−２Ｙ）、記憶されたサービスリストのサービスを優先順位設定信号に基づいて並び替え、当該並び替えた順位を優先順位として設定する（ＳＳ３４ｅ）。優先順位記憶手段１４ｂは、当該設定された優先順位を記憶する（ＳＳ１４ｂ）。
【００３２】
このように、本実施例の携帯端末３０によれば、ＢＢ部３４が、ユーザ入力に基づいて複数のＳＥ内のサービス全てを統括した優先順位を設定するため、変形例１の携帯端末１０’の効果に加えてユーザのニーズを適切に反映した優先順位の設定を行うことができる。
【実施例４】
【００３３】
次に、実施例２の携帯端末２０をベースとして、ユーザ入力に基づいてＳＥ内のサービス全てを統括した優先順位を設定することを目的とした実施例４の携帯端末について図１４、１５を参照して説明する。図１４は本実施例の携帯端末４０の構成を示すブロック図である。図１５は本実施例の携帯端末４０の動作を示すフローチャートである。本実施例の携帯端末４０は、内部ＳＥ１１と、ＲＦ部２２と、ＢＢ部４４と、アンテナ１６とを備え、カードメモリ、ＵＩＭカードなどのリムーバブルメディアと接続されている。ＢＢ部４４は、カード検索手段２４ａと、優先順位記憶手段１４ｂと、最適化優先順位生成手段１４ｃと、制御手段３４ａと、サービス検索手段３４ｂと、サービスリスト記憶手段３４ｃと、表示手段３４ｄと、並び替え手段３４ｅとを備える。ＲＦ部２２は最適化優先順位記憶手段１２ａと、読取検知手段２２ｂとを備える。本実施例の携帯端末４０と実施例２の携帯端末２０との違いは、本実施例の携帯端末４０が備えるＢＢ部４４の制御手段３４ａと、サービス検索手段３４ｂと、サービスリスト記憶手段３４ｃと、表示手段３４ｄと、並び替え手段３４ｅとを実施例２の携帯端末２０が備えていない点である。従って、携帯端末２０と共通する構成部の処理については、実施例２の記載を、携帯端末３０と共通する構成部（制御手段３４ａ、サービス検索手段３４ｂ、サービスリスト記憶手段３４ｃ、表示手段３４ｄ、並び替え手段３４ｅ）の処理については、実施例３の記載を参照されたい。
【００３４】
このように、本実施例の携帯端末４０によれば、ＢＢ部４４が、ユーザ入力に基づいて複数のＳＥ内のサービス全てを統括した優先順位を設定するため、実施例２の携帯端末２０の効果に加えてユーザのニーズを適切に反映した優先順位の設定を行うことができる。
【００３５】
なお、本明細書では、ユーザが１台の携帯端末に対して複数のリムーバブルメディアを有している場合に、ユーザが当該リムーバブルメディアの一部を携帯端末に装着し、一部を装着しない場合であっても、最適化優先順位により、装着されていないリムーバブルメディア内のサービスを除外したうえでユーザ所望の優先順位の順に電子マネーの決済を行うことが可能となる例について説明してきた。しかし本発明の携帯端末は上述のような利用目的に限らず、例えば２台の携帯端末間で１枚のリムーバブルメディアを共有する目的においても効果を奏する。例えば、ユーザ（ユーザＡと呼称する）が携帯電話を２台（携帯端末Ａ、携帯端末Ｂと呼称する）所持しており、都合によりリムーバルメディア（リムーバブルメディア１と呼称する）を差し替えて使う場合にも本発明の携帯端末は効果を奏する。この場合ユーザＡはリムーバブルメディア１内のサービスを含め、本発明の携帯端末Ａにおいて全てのＳＥにおける対象のサービスの優先順位を設定しておく。リムーバルメディア自体のＳＥには当該ＳＥにおける優先順位が記録されるので、当該リムーバルメディアを携帯端末Ｂに差し替えた場合にももちろんその優先順位は保持される。携帯端末Ｂが本発明の携帯端末であった場合はその端末において最適化優先順位が決定される。携帯端末Ｂが本発明の携帯端末でない場合でも、当該リムーバルメディアをその端末におけるＳＥ（１つ）として指定している場合は、そのＳＥにおける優先順位が活用された非接触通信を行うことができる。
【００３６】
また、上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【００３７】
また、上述の構成をコンピュータによって実現する場合、各装置が有すべき機能の処理内容はプログラムによって記述される。そして、このプログラムをコンピュータで実行することにより、上記処理機能がコンピュータ上で実現される。
【００３８】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００３９】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００４０】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００４１】
また、この形態では、コンピュータ上で所定のプログラムを実行させることにより、本装置を構成することとしたが、これらの処理内容の少なくとも一部をハードウェア的に実現することとしてもよい。
【図１】
2013069238.tif 000003
【図２】
2013069238.tif 000004
【図３】
2013069238.tif 000005
【図４】
2013069238.tif 000006
【図５】
2013069238.tif 000007
【図６】
2013069238.tif 000008
【図７】
2013069238.tif 000009
【図８】
2013069238.tif 000010
【図９】
2013069238.tif 000011
【図１０】
2013069238.tif 000012
【図１１】
2013069238.tif 000013
【図１２】
2013069238.tif 000014
【図１３】
2013069238.tif 000015
【図１４】
2013069238.tif 000016
【図１５】
2013069238.tif 000017